(57)【特許請求の範囲】
【請求項１】
コイン型電池を電源とする電気・電子機器のハウジング本体内に組み込まれる電池収納装置において、
上記ハウジング本体内の所定部位に形成された電池収納凹部と、同電池収納凹部の開口部に着脱自在に被せられる蓋体とを含み、上記電池収納凹部の底部には、上記コイン型電池の一方の電極側に対して弾性的に接触する第１の接触端子が設けられているとともに、上記電池収納凹部の側壁部には、上記コイン型電池の他方の電極側の周面に対して弾性的に接触する第２の接触端子が設けられており、かつ、
上記蓋体の裏面側には、上記コイン型電池を上記電池収納凹部の底部に向けて押圧する押圧部が形成されており、上記電池収納凹部内には、上記コイン型電池をその底部上の所定高さ位置に保持するストッパーが設けられていることを特徴とする電池収納装置。
【請求項２】
上記電池収納凹部の底部が上記電気・電子機器内のプリント基板により構成されており、上記第１および第２の接触端子は上記プリント基板上に配置されていることを特徴とする請求項１に記載の電池収納装置。
【請求項３】
上記第１の接触端子は、上記電池収納凹部の底部に固定された基部と、上記基部から所定の傾斜角をもって立ち上げられた接触片とを備えた板バネ部材からなり、同第１の接触端子の複数個が、上記コイン型電池の一方の電極に対してほぼ均等に接触するように配置されていることを特徴とする請求項１または２に記載の電池収納装置。
【請求項４】
上記電池収納凹部の側壁部には、上記第２の接触端子の少なくとも一部分を同電池収納凹部内に臨ませる切り欠き部が形成されており、上記第２の接触端子は、常態において上記切り欠き部から上記電池収納凹部内に入り込むように上記電池収納凹部の底部に立設された板バネ部材からなり、同第２の接触端子の複数個が、上記コイン型電池の他方の電極側の周面に対してほぼ均等に接触するように配置されていることを特徴とする請求項１または２に記載の電池収納装置。
【発明の詳細な説明】
【０００１】
【発明の属する技術分野】
本発明は電池収納装置に関し、さらに詳しく言えば、コイン型（もしくはボタン型）電池を電源とする電気機器のハウジング本体内に組み込まれる電池収納装置に関するものである。
【０００２】
【従来の技術】
コイン型電池はその厚さが薄く、しかも軽量であることから、特に携帯用の各種電気・電子機器に多用されており、図５にはそれらの機器に設けられている電池収納装置の一例が示されている。
【０００３】
これによると、この従来例としての電池収納装置１は、機器のハウジング本体２内に形成された電池収納凹部３と、同電池収納凹部３の開口部に着脱自在に被せられる蓋体４とを備えている。
【０００４】
この従来例において、電池収納凹部３はハウジング本体２内に立設されている所定の縦リブ２ａを１段低くなるように切り欠くことにより形成され、この電池収納凹部３内にコイン型電池５がハウジング本体２に対して平行となるように収納される。
【０００５】
なお、コイン型電池５は、例えば小径の凸部面側が陰極電極面５ａであり、その反対側の大径面側が陽極電極面５ｂとされており、この例では陰極電極面５ａを下向きとして電池収納凹部３内に収納されるようになっている。また、蓋体４の裏面には、コイン型電池５を電池収納凹部３内に向けて押圧する押圧片４ａが形成されている。
【０００６】
電池収納凹部３の側方位置にはプリント基板７が配置されており、このプリント基板７にコイン型電池５の各電極面５ａ，５ｂに接触するともに板バネからなる一対の接触端子６ａ，６ｂが設けられている。
【０００７】
この場合、一方の接触端子６ａは、コイン型電池５の電極面５ａ側を支持するように、プリント基板７から電池収納凹部３内に延びている。他方の接触端子６ｂも、コイン型電池５の電極面５ｂの周辺に接触するように、プリント基板７から電池収納凹部３内に延びているが、その長さは一方の接触端子６ａよりも短くされている。
【０００８】
【発明が解決しようとする課題】
この電池収納装置によれば、コイン型電池５を接触端子６ａ，６ｂ間に差し込むようにして電池収納凹部３内に入れることにより、コイン型電池５を取り付けることができるのであるが、これには次のような課題がある。
【０００９】
すなわち、接触端子６ａ，６ｂの形状が単純である分、コイン型電池５の各電極面５ａ，５ｂと接触端子６ａ，６ｂとの接触箇所および接触面積が少ないため、接触不良が生じやすい。それに加えて、接触端子６ａ，６ｂ間でコイン型電池５を挟持するようにしているため、外部衝撃に弱く接触不良となるおそれが多分にある。
【００１０】
また、上記の構成では、コイン型電池５を逆様、すなわち陰極電極面５ａを上、陽極電極面５ｂを下向きとしても、接触端子６ａ，６ｂ間に差し込み可能であるため、誤ってコイン型電池５が逆挿入されるおそれがある。
【００１１】
本発明は、このような課題を解決するためになされたもので、その目的は、コイン型電池を接触端子に対して確実に接触させた状態で保持できるとともに、コイン型電池を逆挿入した場合には、その電池から機器に対して電源が供給されないようにした電池収納装置を提供することにある。
【００１２】
【課題を解決するための手段】
上記目的を達成するため、本発明は、コイン型電池を電源とする電気・電子機器のハウジング本体内に組み込まれる電池収納装置において、上記ハウジング本体内の所定部位に形成された電池収納凹部と、同電池収納凹部の開口部に着脱自在に被せられる蓋体とを含み、上記電池収納凹部の底部には、上記コイン型電池の一方の電極側に対して弾性的に接触する第１の接触端子が設けられているとともに、上記電池収納凹部の側壁部には、上記コイン型電池の他方の電極側の周面に対して弾性的に接触する第２の接触端子が設けられており、かつ、上記蓋体の裏面側には、上記コイン型電池を上記電池収納凹部の底部に向けて押圧する押圧部が形成されており、上記電池収納凹部内には、上記コイン型電池をその底部上の所定高さ位置に保持するストッパーが設けられていることを特徴としている。
【００１３】
この場合、上記電池収納凹部の底部が上記電気・電子機器内のプリント基板により構成され、上記第１および第２の接触端子は上記プリント基板上に配置されていることが好ましく、これによれば、接触端子を従来のように電池収納凹部の側方から引き回す必要がないため、省スペース化が図れる。
【００１４】
また、上記第１の接触端子は、上記電池収納凹部の底部に固定された基部と、上記基部から所定の傾斜角をもって立ち上げられた接触片とを備えた板バネ部材からなり、同第１の接触端子の複数個が、上記コイン型電池の一方の電極に対してほぼ均等に接触するように配置されていることが好ましい。
【００１５】
同様に、上記電池収納凹部の側壁部には、上記第２の接触端子の少なくとも一部分を同電池収納凹部内に臨ませる切り欠き部が形成されており、上記第２の接触端子は、常態において上記切り欠き部から上記電池収納凹部内に入り込むように上記電池収納凹部の底部に立設された板バネ部材からなり、同第２の接触端子の複数個が、上記コイン型電池の他方の電極側の周面に対してほぼ均等に接触するように配置されていることが好ましい。
【００１６】
このような第１および第２の接触端子を用いることにより、コイン型電池を接触端子に対して確実に接触させた状態で保持することができる。したがって、外部より衝撃を受けたとしても、接触不良を生ずるおそれはほとんどない。
【００１７】
また、コイン型電池の例えば小径の凸部面側が陰極電極面で、その反対側の大径面側が陽極電極面であるとして、その陰極電極面側が下向きとなる方向が正規の挿入方向であるとして、仮に誤って大径面側の陽極電極面を下向きとして逆挿入した場合には、第１および第２の接触端子がともに、その陽極電極面側に接触することになるため、機器に対して電源が供給されることはない。
【００１８】
さらに、上記蓋体の裏面側には、上記コイン型電池を上記電池収納凹部の底部に向けて押圧する押圧部が形成されており、上記電池収納凹部内には、上記コイン型電池をその底部上の所定高さ位置に保持するストッパーが設けられているため、コイン型電池により第１および第２の接触端子が必要以上に押圧されて、そのバネ性が失われることが防止される。
【００１９】
【発明の実施の形態】
次に、本発明の技術的思想をよりよく理解するうえで、その好適な実施例を図１ないし図４を参照しながら説明する。なお、図１はこの実施例としての電池収納装置の断面図、図２は蓋体を外した状態の斜視図、図３は接触端子の平面図、図４は図３のＡ−Ａ線断面図である。
【００２０】
まず、図１および図２に基づいて、この電池収納装置の全体的な構成を説明すると、この電池収納装置１０は、例えばディジタルマルチメータなどの測定機器のハウジング本体１１内の所定部位に設けられた電池収納凹部１２と、同電池収納凹部１２の開口部に対して着脱自在に被せられる蓋体としての電池カバー１３とを備えている。
【００２１】
電池収納凹部１２は、コイン型電池５の直径よりもやや大きな内径を有する円筒状凹部からなり、この実施例において、その底部はプリント基板１４により塞がれている。なお、ここで使用するコイン型電池５は、図５において先に説明したコイン型電池と同じであって、例えば小径の凸部面側が陰極電極面５ａであり、その反対側の大径面側が陽極電極面５ｂとされており、陰極電極面５ａを下向きとした状態が正規の装着方向である。
【００２２】
電池収納凹部１２の底部に位置するプリント基板１４上には、コイン型電池５の陰極電極面５ａに対する第１の接触端子１５が配置されている。また、電池収納凹部１２の側壁部１２１には、コイン型電池５の陽極電極面５ｂの周面に対する第２の接触端子１６が設けられている。
【００２３】
電池カバー１３は、電池収納凹部１２の開口部を覆う大きさの板材からなり、ネジ１７を介してハウジング本体１１に着脱可能に取り付けられる。電池カバー１３の裏面には、コイン型電池５を電池収納凹部１２の底部側に向けて押圧する押圧片１３１が設けられている。
【００２４】
図３および図４を併せて参照すると、この実施例において、第１の接触端子１５は全体が板バネ材からなり、基部として、ほぼ円板状をなす中央基部１５１と、同中央基部１５１からその直径線に沿って互いに反対方向に引き出された左右一対の側方基部１５２，１５２とを備えている。
【００２５】
そして、側方基部１５２，１５２の両側片には、中央基部１５１の円周方向に沿って湾曲しながら互いに反対方向に延びるそれぞれ一対の接触片１５３，１５３が連設されている。すなわち、第１の接触端子１５は、コイン型電池５の陰極電極面５ａに対して均等的に配置された４つの接触片１５３を備えている。
【００２６】
第１の接触端子１５はプリント基板１４上に実装されるが、各接触片１５３は、図４に示されているように、側方基部１５２から所定の傾斜角をもってプリント基板１４上の所定高さ位置にまで持ち上げられている。これにより、各接触片１５３はコイン型電池５の陰極電極面５ａに弾性的に接触する。なお、側方基部１５２の端部には、プリント基板１４に対する差込脚１５４がほぼ直角に連設されている。
【００２７】
この実施例において、第２の接触端子１６も全体が板バネ材から構成されており、第１の接触端子１５の周りに同心的に配置される環状基部１６１を備えている。同環状基部１６１には９０度の配置間隔をもって４つの接触片１６２が設けられている。
【００２８】
図４に示されているように、各接触片１６２は、対向する接触片１６２との間隔が下端側においてはコイン型電池５の直径よりも短く、上端側においてはコイン型電池５の直径よりも大きくなるような傾斜角をもって環状基部１６１に立設されている。また、この環状基部１６１にも、プリント基板１４に対する差込脚１６３がほぼ直角に連設されている。
【００２９】
図２に示されているように、電池収納凹部１２の側壁部１２１には、第２の接触端子１６の各接触片１６２を同電池収納凹部１２内に臨ませる切り欠き部１２２が形成されている。また、電池収納凹部１２の側壁部１２１の下端には、コイン型電池５をその底部（この実施例では、プリント基板１４）上の所定高さ位置に保持するストッパー１２３が設けられている。
【００３０】
なお、この所定高さ位置とは、コイン型電池５が電池カバー１３の押圧片１３１により押圧される際、第１および第２の接触端子１５，１６が必要以上に押圧されて、そのバネ性が失われることがないような高さ位置である。
【００３１】
この構成によれば、電池カバー１３を外して、コイン型電池５をその陰極電極面５ａ側を下向きとして、電池収納凹部１２内に挿入することにより、第１の接触端子１５の各接触片（この例では４つの接触片）１５３がコイン型電池５の陰極電極面５ａに弾性的に接触するとともに、第２の接触端子１６の各接触片（同様に、この例では４つの接触片）１６２がコイン型電池５の陽極電極面５ｂの周面に弾性的に接触する。
【００３２】
そして、電池カバー１３を被せてネジ１７を介してハウジング本体１１に固定することにより、電池収納凹部１２内においてコイン型電池５が、電池カバー１３の押圧片１３１による押圧力と、第１および第２の接触端子１５，１６のバネ弾性とにより確実に保持される。
【００３３】
なお、操作を誤って、電池収納凹部１２に対してコイン型電池５を逆挿入、すなわちその陽極電極面５ｂ側を下向きとして挿入した場合には、第１および第２の接触端子１５，１６がともにその下側とされた陽極電極面５ｂに接触するため、機器に対して電源は供給されない。
【００３４】
上記実施例では、第１および第２の接触端子１５，１６の接触片１５３，１６２をそれぞれ４つとしているが、少なくとも１つずつとしてもよい。なお、各接触片１５３，１６２をそれぞれ複数個とする場合には、均等配置とすることが好ましい。
【００３５】
【発明の効果】
以上説明したように、本発明によれば、電池を装着するにあたっては、コイン型電池を電池収納凹部に対してただ単に押し込めばよく、その操作が簡単であるとともに、電池収納凹部内でコイン型電池を接触端子に対して確実に接触させた状態で保持することができる。
【００３６】
また、本発明によれば、コイン型電池を逆挿入した場合には、その電池から機器に対して電源が供給されず、したがって電池逆挿入に対する例えばダイオードなどの保護回路などを必要とすることなく、電池の逆挿入から機器内の回路部品を効果的に保護することができる。
【００３７】
さらに、本発明によれば、電池収納凹部内においてコイン型電池をストッパーにて所定高さ位置に保持するようにしたことにより、コイン型電池により第１および第２の接触端子が必要以上に押圧されて、そのバネ性が失われてしまうようなことはない。
【図面の簡単な説明】
【図１】本発明による電池収納装置の一実施例を示した断面図。
【図２】電池カバーを外した状態での上記実施例の斜視図。
【図３】上記実施例における接触端子部の平面図。
【図４】図３のＡ−Ａ線断面図。
【図５】従来例を示した断面図。
【符号の説明】
１０  電池収納装置
１１  ハウジング本体
１２  電池収納凹部
１２１  側壁部
１２２  切り欠き部
１２３  ストッパー
１３  電池カバー
１３１  押圧片
１４  プリント基板
１５  第１の接触端子
１５１  中央基部
１５２  側方基部
１５３  接触片
１６  第２の接触端子
１６１  環状基部
１６２  接触片
【図１】
0003701791.tif 000002
【図２】
0003701791.tif 000003
【図３】
0003701791.tif 000004
【図４】
0003701791.tif 000005
【図５】
0003701791.tif 000006